(57)【要約】      （修正有）【課題】腕金の傾きを調整することができる腕金調整装置を提供する。【解決手段】電柱１に対する腕金２１の取付角度が所定角度となるように、前記腕金の傾きを調整する腕金調整装置１００であって、長手方向に移動することで、前記腕金に対して腕金の傾きを調整するための力を付与するアームと、前記電柱に固定され、前記アームが長手方向に移動できるように前記アームを支持する支持部材（固定バンド３、固定具６、７）と、前記アームを長手方向に移動させる移動部材（ナット部材４３Ａ、４３Ｂ、ワッシャー４４Ａ、４４Ｂ）と、を備える。【選択図】図１
2014230425.tif 000002
【特許請求の範囲】
【請求項１】
電柱に対する腕金の取付角度が所定角度となるように、前記腕金の傾きを調整する腕金調整装置であって、
長手方向に移動することで、前記腕金に対して腕金の傾きを調整するための力を付与するアームと、
前記電柱に固定され、前記アームが長手方向に移動できるように前記アームを支持する支持部材と、
前記アームを長手方向に移動させる移動部材と、
を備えたことを特徴とする腕金調整装置。
【請求項２】
前記アームは、
前記腕金に取り付けられる第１アームと、
前記支持部材に支持され、前記第１アームが前記腕金に取り付けられたまま前記腕金の傾きに合わせて回動するように前記第１アームを支持する第２アームと、を有する
ことを特徴とする請求項１に記載の腕金調整装置。
【請求項３】
前記腕金及び前記第１アームの一方には、位置決め孔が設けられており、
前記腕金及び前記第１アームの他方には、前記第１アームが前記腕金に取り付けられるときに前記第１アームが前記腕金に対して位置決めされるように前記位置決め孔に挿入される突起が設けられている
ことを特徴とする請求項２に記載の腕金調整装置。
【請求項４】
前記第２アームの外周面には、螺子山が設けられており、
前記支持部材は、前記第２アームが挿通される挿通孔が設けられている支持具、を有し、
前記移動部材は、前記挿通孔に挿通されている前記第２アームにおける前記支持具の両側に設けられ、回転力に応じて前記第２アームが移動するように前記第２アームに螺合される一対のナット部材、を有する
ことを特徴とする請求項２に記載の腕金調整装置。
【請求項５】
前記支持部材は、前記電柱の外周面を取り囲んで前記電柱に締め付けられるベルト、を更に有し、
前記支持具は、
前記電柱と前記ベルトとの間に挿入される挿入片と、
前記支持具が前記ベルトに沿って移動可能に取り付けられるように、前記ベルトが挿入される隙間部と、を有する
ことを特徴とする請求項４に記載の腕金調整装置。
【請求項６】
前記第１アームと前記第２アームとは、回動軸により互いに連結されており、
前記回動軸の方向における前記第１アームと前記第２アームとの対向面の少なくとも一方には、前記第１アームが回動したときに摩擦力を発生させるための突起、が設けられている
ことを特徴とする請求項２に記載の腕金調整装置。
【請求項７】
前記移動部材は、前記挿通孔に挿通されている前記第２アームにおける前記一対のナット部材夫々と前記支持具との間に設けられる一対のワッシャー、を更に有する
ことを特徴とする請求項４に記載の腕金調整装置。
【発明の詳細な説明】
【技術分野】
【０００１】
本発明は、腕金調整装置に関する。
【背景技術】
【０００２】
例えば、電柱に取り付けられている腕金が知られている（例えば特許文献１）。
【先行技術文献】
【特許文献】
【０００３】
【特許文献１】特開２００７―２２８７８６号公報
【発明の概要】
【発明が解決しようとする課題】
【０００４】
例えば、腕金は特許文献１の腕金も含めて、強風等により傾くことがある。この場合、腕金の傾きを復旧させる必要がある。しかし、腕金は比較的高所に設けられているために、腕金の傾きを調整するのが困難となることがある。
【課題を解決するための手段】
【０００５】
前述した課題を解決する主たる本発明は、電柱に対する腕金の取付角度が所定角度となるように、前記腕金の傾きを調整する腕金調整装置であって、長手方向に移動することで、前記腕金に対して腕金の傾きを調整するための力を付与するアームと、前記電柱に固定され、前記アームが長手方向に移動できるように前記アームを支持する支持部材と、前記アームを長手方向に移動させる移動部材と、を備えたことを特徴とする腕金調整装置である。
【０００６】
本発明の他の特徴については、添付図面及び本明細書の記載により明らかとなる。
【発明の効果】
【０００７】
本発明によれば、腕金の傾きを調整することができる。
【図面の簡単な説明】
【０００８】
【図１】本発明の第１実施形態における電柱に取り付けられた状態の腕金調整装置を示す図である。
【図２】本発明の第１実施形態における調整工具の一部を示す斜視図である。
【図３】本発明の第１実施形態における調整工具を示す側面図である。
【図４】本発明の第１実施形態における調整工具を示す正面図である。
【図５】本発明の第１実施形態における調整工具の一部を示す側面図である。
【図６】本発明の第１実施形態における固定バンドと固定具を示す図である。
【図７】本発明の第１実施形態における固定具を示す斜視図である。
【図８】本発明の第１実施形態における固定具と支持棒を示す断面図である。
【図９】本発明の第１実施形態における位置がずれた状態の腕金を示す図である。
【図１０】本発明の第１実施形態における位置がずれた状態の腕金と腕金調整装置とを示す図である。
【図１１】本発明の第１実施形態における傾きが調整された状態の腕金と腕金調整装置とを示す図である。
【図１２】本発明の第１実施形態における復旧された状態の腕金を示す図である。
【図１３】本発明の第２実施形態における電柱に取り付けられた状態の腕金調整装置を示す図である。
【図１４】本発明の第２実施形態における調整工具を示す側面図である。
【図１５】本発明の第３実施形態における電柱に取り付けられた状態の腕金調整装置を示す図である。
【図１６】本発明の第３実施形態におけるハンドを示す図である。
【図１７】本発明の第３実施形態が適用される電柱と腕金とを示す図である。
【発明を実施するための形態】
【０００９】
本明細書および添付図面の記載により、少なくとも以下の事項が明らかとなる。
【００１０】
[第１実施形態]
＝＝＝腕金＝＝＝
以下、図１を参照して、本実施形態における腕金調整装置が適用される腕金について説明する。図１は、本実施形態における電柱に取り付けられた状態の腕金調整装置を示す図である。
【００１１】
本実施形態においては、Ｚ軸は、電柱１の長手方向（垂直方向）にのびている軸であり、下側から上側に向かう方向を＋Ｚとし、上側から下側に向かう方向を−Ｚとする。Ｘ軸は、腕金２１の長手方向にのびている軸であり、腕金２１の一方の端部から他方の端部に向かう方向を＋Ｘとし、他方の端部から一方の端部に向かう方向を−Ｘとする。Ｙ軸は、Ｘ軸及びＺ軸の双方に対して直交する方向にのびている軸であり、手前側から奥側に向かう方向を−Ｙとし、奥側から手前側に向かう方向を＋Ｙとする。
【００１２】
腕金２１は、電線（不図示）を支持するための金属部材である。腕金２１は、地面からの高さが例えば４メートルから６メートルの位置において、電柱１に設けられる。腕金２１は、略水平となり、且つ、電柱１の長手方向（Ｚ軸）に対して略直交するように設けられる。つまり、腕金２１は、電柱１に対する取付角度が所定角度（例えば略９０度）となるように取り付けられている。腕金２１は、アームタイ２２、アームタイバンド２３、ボルト２４によって、電柱１に固定される。
【００１３】
アームタイ２２は、腕金２１を支持するための例えば金属製の棒状部材である。アームタイ２２の一端は、腕金２１に固定される。アームタイ２２の他端は、アームタイバンド２３に固定される。
【００１４】
アームタイバンド２３は、腕金２１を支持するための例えば金属製のベルトである。アームタイバンド２３は、所定の高さ位置において電柱１に固定される。
【００１５】
ボルト２４は、電柱１に対して腕金２１を固定するためのボルトである。ボルト２４は、電柱１の長手方向（Ｚ軸）及び腕金２１の長手方向（Ｘ軸）の双方と交差する方向（Ｙ軸）においてのびており、電柱１及び腕金２１に対して連続的に螺着される。従って、腕金２１は、ボルト２４によって電柱１に固定され、アームタイバンド２３及びアームタイ２２によって支持されることになる。
【００１６】
又、腕金２１には、電線（不図示）を支持するための絶縁がいし２Ａ、２Ｂ、２Ｃが設けられている。
【００１７】
＝＝＝腕金調整装置＝＝＝
以下、図１を参照して、本実施形態における腕金調整装置について説明する。
【００１８】
腕金調整装置１００は、腕金２１の傾きを調整するための装置である。腕金調整装置１００は、例えば２個の調整工具４、５、固定バンド３、例えば２個の固定具６、７を有する。尚、調整工具は、説明の便宜上、２個設けられていることとしたが、腕金２１の種類に応じて１個でもよく、３個以上でもよい。固定具は、説明の便宜上、２個設けられていることとしたが、調整工具の数量以上であれば、１個でもよく、３個以上でもよい。
【００１９】
固定バンド３（ベルト）は、電柱１に対して固定具６、７を取り付けるための例えば金属製のベルトである。つまり、固定バンド３は、調整工具４、５を支持するのに用いられる。
【００２０】
固定具６、７（支持具）は、調整工具４、５を支持するための例えば金属製の部材である。固定具６、７は夫々同様な構成であるので、固定具６についてのみ説明し固定具７については、その説明を省略する。尚、固定バンド３、固定具６、７が支持部材に相当する。
【００２１】
調整工具４、５は、腕金２１の位置を調整するための工具である。
【００２２】
＝＝＝調整工具＝＝＝
以下、図１乃至図４を参照して、本実施形態における調整工具について説明する。図２は、本実施形態における調整工具の一部を示す斜視図である。図３は、本実施形態における調整工具を示す側面図である。尚、ボルト４６Ａは、Ｘ軸においてのびている軸部材４７を中心に回動した状態のボルト４６を示している。ボルト４６Ａは、説明の便宜上、点線で示されている。図４は、本実施形態における調整工具を示す正面図である。尚、複数の突起４１５、４２５は見えない状態となっているが、説明の便宜上、点線で示されている。
【００２３】
調整工具４は、調整工具４の長手方向に移動することで、腕金２１に対して腕金２１の傾きを調整するための力を付与するための工具である。調整工具４は、ハンド４１（第１アーム）、アーム４２（第２アーム）、第１ナット部材４３Ａ、第２ナット部材４３Ｂ、第１ワッシャー４４Ａ、第２ワッシャー４４Ｂ、ボルト４６を有する。尚、ハンド４１及びアーム４２がアームに相当する。第１ナット部材４３Ａ、第２ナット部材４３Ｂ、第１ワッシャー４４Ａ、第２ワッシャー４４Ｂが、移動部材に相当する。
【００２４】
ハンド４１（図２）は、腕金２１に引っ掛けられて（取り付けられて）腕金２１の傾きを調整するための例えば金属製のハンドである。ハンド４１は、第１板部材４１３、第２板部材４１５、第３板部材４１４を有する。
【００２５】
第１板部材４１３は、略矩形形状を呈し、ＸＺ平面に平行な部材である。第１板部材４１３には、第１板部材４１３に対してボルト４６を固定するための切り欠部４１１が設けられている。第２板部材４１５は、略矩形形状を呈し、第１板部材４１３の上側（＋Ｚ）の端部から、第１板部材４１３と直交する方向（−Ｙ）にのびている。第３板部材４１４は、多角形形状を呈し、第２板部材４１５における第１板部材４１３から遠い側（−Ｙ）の端部から、下側（−Ｚ）に向かってのびている。従って、第３板部材４１４は、第１板部材４１３と略平行となり、第１板部材４１３と対向することになる。尚、第１板部材４１３、第２板部材４１５、第３板部材４１４は、一体的に形成されていることとしてもよい。これらの構成により、ハンド４１は、例えば−Ｘ側から＋Ｘ側に向かって見たときに、腕金２１に引っ掛けられるように略コ字形状を呈することになる。
【００２６】
アーム４２は、ハンド４１を回動可能に支持するための金属製の部材である。アーム４２は、支持板４２１（図３）、支持棒４２２を有する。
【００２７】
支持棒４２２の外周面には、ナット部材４３Ａ、４３Ｂの螺子溝に対応する螺子山４２３が形成されている。尚、螺子山４２３は、支持棒４２２の下側（−Ｚ）の端部から例えば支持棒４２２の略中央まで設けられていることとする。
【００２８】
支持板４２１は、支持棒４２２における上側（＋Ｚ）の端部に設けられ、ハンド４１の第３板部材４１４が取り付けられる。支持板４２１には、ハンド４１が腕金２１に取り付けられたまま腕金２１の傾斜に合わせて回動するように、ボルト４５１及びナット４５２によって第３板部材４１４が連結される。尚、支持板４２１と第３板部材４１４との連結については、後述する。
【００２９】
ボルト４６は、腕金２１に対して下側から上側に向かう力を付与するための部材である。尚、ボルト４６については、後述する。
【００３０】
第１ナット部材４３Ａ、第２ナット部材４３Ｂ、第１ワッシャー４４Ａ、第２ワッシャー４４Ｂは、支持棒４２２を上側に移動させたり、下側に移動させたりするための部材である。尚、第１ナット部材４３Ａ、第２ナット部材４３Ｂ、第１ワッシャー４４Ａ、第２ワッシャー４４Ｂについては、後述する。
【００３１】
尚、調整工具５（図１）は、調整工具４と同様な工具であり、調整工具５のハンド５１、アーム５２、第１ナット部材５３Ａ、第２ナット部材５３Ｂ、第１ワッシャー５４Ａ、第２ワッシャー５４Ｂ、ボルト５６の構成は夫々、ハンド４１、アーム４２、第１ナット部材４３Ａ、第２ナット部材４３Ｂ、第１ワッシャー４４Ａ、第２ワッシャー４４Ｂ、ボルト４６の構成と同様である。
【００３２】
＝＝＝ボルト＝＝＝
以下、図３を参照して、本実施形態におけるボルトについて説明する。
【００３３】
ボルト４６（図２）は、ハンド４１の内部４１２に腕金２１が設けられたときに、第１板部材４１３、第２板部材４１５、第３板部材４１４と共に、腕金２１を取り囲んで、腕金２１の傾きを調整するためのボルトである。ボルト４６は、Ｘ軸においてのびている軸部材４７に螺合される。軸部材４７は、ボルト４６が螺合される螺子孔が設けられ、軸部材４７の長手方向（Ｘ軸）を中心に回動できるように第３板部材４１４の所定位置において軸支されていることとする。
【００３４】
又、ボルト４６は、ボルト４６の長手方向を軸に回動させることにより、ボルト４６における軸部材４７からボルト４６のヘッドまでの長さ（「ボルト４６のヘッド側の長さ」とも称する）が調整される。
【００３５】
ボルト４６のヘッド側の長さがのばされた場合、ボルト４６をＡ１方向に回動させてボルト４６が第１板部材４１３と略直交したとき、ボルト４６は、切り欠部４１１に嵌ることになる。このとき、ボルト４６のヘッド側の長さを縮めた場合、ボルト４６のヘッドは、第１板部材４１３に対して締め付けられることになる。そして、ボルト４６は、第１板部材４１３と略直交した状態で固定されることになる。
【００３６】
この後、ボルト４６のヘッド側の長さがのばされた場合、ボルト４６は、第１板部材４１３から外れて、Ａ１方向又はＡ２方向に回動可能となる。
【００３７】
＝＝＝支持板と第３板部材＝＝＝
以下、図５を参照して、本実施形態における支持板と第３板部材について説明する。図５は、本実施形態における調整工具の一部を示す側面図である。尚、突起４５２、４１５は、ボルト４５１の周りに複数ずつ設けられている（図４）が、説明の便宜上、例えば１つずつ示されている。
【００３８】
支持板４２１と第３板部材４１４とは、ボルト４５１（回動軸）の長手方向（Ｙ軸）において隣り合っている。支持板４２１と第３板部材４１４とは、ハンド４１がボルト４５１を中心に回動するように、ボルト４５１及びナット４５２によって連結されている。
【００３９】
又、支持板４２１における第３板部材４１４と対向する対向面４２６、第３板部材４１４における支持板４２１と対向する対向面４１６には夫々、突起４２５、４１５が設けられている。突起４２５、４１５は、ハンド４１が回動したとき摩擦力を発生させるための突起である。突起４２５、４１５は、所定の摩擦力が発生させるための樹脂製の突起であることとしてもよい。
【００４０】
＝＝＝ナット部材＝＝＝
以下、図１及び図４を参照して、本実施形態におけるナット部材について説明する。
【００４１】
第１ナット部材４３Ａ、第２ナット部材４３Ｂは、アーム４２を移動させるための一対のナット部材である。
【００４２】
第１ナット部材４３Ａ、第２ナット部材４３Ｂは、アーム４２における固定具６の両側に設けられる。第１ナット部材４３Ａ、第２ナット部材４３Ｂは夫々、アーム４２における固定具６の例えば上側（＋Ｚ）、下側（−Ｚ）に設けられる。尚、このとき、第１ナット部材４３Ａ、第２ナット部材４３Ｂは、支持棒４２２（図４）と螺合されることになる。
【００４３】
第１ナット部材４３Ａと固定具６との間には、第１ワッシャー４４Ａが設けられる。又、第２ナット部材４３Ｂと固定具６との間には、第２ワッシャー４４Ｂが設けられる。一対のワッシャーである第１ワッシャー４４Ａ及び第２ワッシャー４４Ｂが設けられることにより、第１ナット部材４３Ａ及び第２ナット部材４３Ｂによって、固定具６を確実に把持することができることになる。尚、固定具６については、後述する。
【００４４】
第１ナット部材４３Ａ、第２ナット部材４３Ｂは、固定具６を把持できる位置に設けられる。このとき、アーム４２は、固定具６に固定されることになる。又、第１ナット部材４３Ａ及び第２ナット部材４３Ｂの回転力に基づいて、アーム４２は、上側に移動したり、下側に移動したりすることになる。
【００４５】
＝＝＝固定バンド＝＝＝
以下、図６を参照して、本実施形態における固定バンドについて説明する。図６は、本実施形態における固定バンドと固定具を示す図である。
【００４６】
固定バンド３は、第１板部材３１、第２板部材３２、ボルト３３、３４、ナット３３Ａ、３４Ａを有する。
【００４７】
第１板部材３１、第２板部材３２は、第１板部材３１と第２板部材３２との間に電柱１が設けられるように、電柱１の外周面に沿って湾曲している例えば金属製の部材である。ボルト３３及びナット３３Ａと、ボルト３４及びナット３４Ａとは、固定バンド３の径の大きさを調整するための一対のボルト及びナットである。固定バンド３の径の大きさを調整することにより、電柱１に対して固定バンド３を固定したり、電柱１に沿って固定バンド３を移動させたりすることが可能となる。
【００４８】
＝＝＝固定具＝＝＝
以下、図７及び図８を参照して、本実施形態における固定具について説明する。図７は、本実施形態における固定具を示す斜視図である。図８は、本実施形態における固定具と支持棒を示す断面図である。尚、図８においては、固定具６に支持されている支持棒４２２と、図７における固定具６の略中央を通り、且つＹＺ平面に平行な断面から−Ｘ方向に向かって見た状態の固定具６とが示されている。
【００４９】
固定具６は、調整工具４を支持するための例えば金属製の部材である。固定具６は、固定バンド３に取り付けられる。固定具６は、第１板部材６１、第２板部材６２、第３板部材６３、第４板部材６４、第５板部材６５を有し、一体的に形成されている。
【００５０】
第１板部材６１は、固定具６の底板を形成する部材である。第１板部材６１には、第１挿通孔６１Ａが設けられる。第１挿通孔６１Ａは、支持棒４２２が挿通される丸孔である。
【００５１】
第２板部材６２は、固定具６の天板を形成する部材である。第２板部材６２は、第１板部材６１と略平行となるように、第１板部材６１と対向している。第２板部材６２には、第２挿通孔６２Ａが設けられる。第２挿通孔６２Ａは、支持棒４２２が挿通される長孔である。
【００５２】
第３板部材６３及び第４板部材６４は、第１板部材６１と第２板部材６２とを連結するための部材である。第３板部材６３は、湾曲している。第３板部材６３は、第１板部材６１及び第２板部材６２における第５板部材６５側（−Ｙ）とは反対側（＋Ｙ）の端部を連結している。第４板部材６４は、第２板部材６２の端部６２１が第５板部材６５側に向かって突出するように、第１板部材６１及び第２板部材６２における固定具６の中央寄りの位置を連結している。
【００５３】
第５板部材６５は、電柱１と固定バンド３との間に挿入される挿入片である。第５板部材６５は、第４固定部６４との間において隙間６５Ａが設けられるように、第４板部材６４における第３板部材６３側（＋Ｙ）とは反対側（−Ｙ）の端部から上側（＋Ｚ）に向かってのびている。隙間６５Ａは、固定具６が固定バンド３に沿って移動可能に取り付けられるように、固定バンド３が挿入される隙間部である。尚、隙間６５Ａに固定バンド３が嵌められた場合、固定バンド３は、端部６２１と当たって、隙間６５Ａから外れ難くなる。つまり、端部６２１は、隙間６５Ａに挿入された固定バンド３が外れるのを防止するための規制片として機能する。
【００５４】
＝＝＝腕金の傾き＝＝＝
以下、図１及び図９を参照して、本実施形態における腕金の傾きについて説明する。図９は、本実施形態における位置がずれた状態の腕金を示す図である。
【００５５】
腕金２１は、前述したように、アームタイ２２、アームタイバンド２３、ボルト２４によって、電柱１に固定されている（図１）。例えば、ボルト２４が電柱１の螺子孔２４Ａ（図９）から外れた場合、腕金２１の位置がずれて傾くことになる。腕金２１の位置がずれるとは、例えば、腕金２１における絶縁がいし２Ｃ側の一端（＋Ｘ）が、腕金２１の一端とは反対側の他端（−Ｘ）よりも低くなること等を示す。又、腕金２１の位置がずれるとは、例えば、電柱１に対する取付角度が所定角度（例えば略９０度）からずれることを示す。
【００５６】
腕金２１の位置がずれた場合、例えば、腕金２１が脱落したりする虞があるために、腕金２１の傾きを調整して、腕金２１を復旧する必要がある。尚、腕金２１を復旧するとは、例えば、電柱１に対する腕金２１の取付角度を所定角度（例えば略９０度）に戻すことを示す。
【００５７】
＝＝＝腕金の傾きの調整＝＝＝
以下、図９乃至図１２を参照して、本実施形態における腕金の傾きの調整について説明する。図１０は、本実施形態における位置がずれた状態の腕金と腕金調整装置とを示す図である。図１１は、本実施形態における傾きが調整された状態の腕金と腕金調整装置とを示す図である。図１２は、本実施形態における復旧された状態の腕金を示す図である。
【００５８】
腕金２１の位置がずれた場合、腕金２１の傾きを調整するべく腕金調整装置１００が取り付けられる。この後、腕金調整装置１００を用いて腕金２１の傾きが調整される。
【００５９】
＜腕金調整装置１００の取り付け＞
固定ベルト３が、電柱１におけるアームタイバンド２３を避けた位置に固定される。
【００６０】
固定具６、７が、固定ベルト３における板部材３１、３２に取り付けられる。固定具６の隙間６５Ａに対して板部材３１又は板部材３２が嵌められることにより、固定具６が固定ベルト３に取り付けられる。尚、固定具７は、固定具６と同様に、固定ベルト３に取り付けられる。
【００６１】
アーム４２に対して、第１ナット部材４３Ａ、第１ワッシャー４４Ａが取り付けられた後、アーム４２が固定具６の第２挿通孔６２Ａ、第１挿通孔６１Ａの双方に挿通される。尚、第２挿通孔６２Ａが長孔になっているために、アーム４２を、アーム４２における第２挿通孔６２Ａよりも下側（−Ｚ）の所定位置を中心に、第２挿通孔６２Ａがのびている方向に移動可能となる。この後、アーム４２に対して、第２ナット部材４３Ｂ、第２ワッシャー４４Ｂが取り付けられる。そして、アーム４２が、固定具６に固定されることになる。尚、アーム５２は、アーム４２と同様に、固定具７に固定される。
【００６２】
アーム４２が固定具６に固定されるとき、ハンド４１は、腕金２１における電柱１の一方側（−Ｘ）に引っ掛けられる。ハンド４１が腕金２１に引っ掛けられた後、ボルト４６（図３）がＡ１方向に回動された後、ボルト４６のヘッド側の長さを縮めることにより、ボルト４６は、第１板部材４１３と略直交した状態で固定されることになる。このとき、腕金２１は、第１板部材４１３、第２板部材４１５、第３板部材４１４、ボルト４６に取り囲まれることになる。アーム５２が固定具７に固定されるとき、ハンド５１は、ハンド４１と同様に、腕金２１における電柱１の他方側（＋Ｘ）に引っ掛けられる。
【００６３】
以上より、腕金調整装置１００は、電柱１及び腕金２１に取り付けられることになる。
【００６４】
＜腕金２１の位置の調整＞
絶縁がいし２Ａ、２Ｂ、２Ｃが、絶縁性のシート等で覆われる。例えば、位置がずれている腕金２１における他方側の端部（＋Ｘ）が、例えばヤットコ装置等の間接用工具（不図示）を用いて把持される。これは、腕金２１の位置ずれの度合いが大きくなって、例えば腕金２１が脱落するのを防止するためのである。
【００６５】
ハンド４１とアーム４２とを連結しているボルト４５１を緩めて、アーム４２に対するハンド４１の回動が可能な状態にする。複数の突起４１５、４２５によって、ハンド４１とアーム４２との間において、ハンド４１の自重に応じてハンド４１が回動しない程度の摩擦力が発生する。又、調整工具５についても、調整工具４と同様に、ハンド５１とアーム５２とを連結しているボルト５５１を緩めて、アーム５２に対するハンド５１の回動が可能な状態にする。
【００６６】
例えば、第１ナット部材４３Ａ及び第２ナット部材４３Ｂの回転力に基づいて、アーム４２及びハンド４１は、下側に移動する。このとき、ハンド４１から腕金２１に対して上側から下側に向かう力（引き下げる力）が付与される。又、例えば、第１ナット部材５３Ａ及び第２ナット部材５３Ｂの回転力に基づいて、アーム５２及びハンド５１は、上側に移動する。このとき、ハンド５１に固定されているボルト５６から腕金２１に対して下側から上側に向かう力（押し上げる力）が付与される。
【００６７】
支持工具４、５から腕金２１に対して付与される力等に基づいて、腕金２１の傾きは調整される（図１１）。この後、腕金２１は、例えば改修用バンド２４Ｃ等を用いて、電柱１に固定されて、腕金２１が復旧されることになる（図１２）。
【００６８】
[第２実施形態]
第２実施形態における腕金調整装置１００Ｂは、調整工具４Ｂを有する。腕金調整装置１００Ｂにおける調整工具４Ｂ以外の構成は、腕金調整装置１００の構成と同様である。
【００６９】
＝＝＝腕金調整装置＝＝＝
以下、図１３及び図１４を参照して、本実施形態における腕金調整装置について説明する。図１３は、本実施形態における電柱に取り付けられた状態の腕金調整装置を示す図である。尚、固定ボルト４８１の一部は見えない状態となっているが、説明の便宜上、点線で示されている。図１４は、本実施形態における調整工具を示す側面図である。尚、図３と同様な構成には、同様な符号を付しその説明については省略する。
【００７０】
腕金調整装置１００Ｂは、調整工具４Ｂを有する。調整工具４Ｂは、ハンド４１Ｂ、固定ボルト４８１（突起）を有する。
【００７１】
ハンド４１Ｂは、板部材４１５Ｂ（図１４）を有する。板部材４１５Ｂには、固定ボルト４８１が螺合される螺子孔（不図示）が設けられる。尚、板部材４１５Ｂにおける螺子孔以外の構成は、第２板部材４１５（第１実施形態）の構成と同様である。
【００７２】
固定ボルト４８１は、ハンド４１Ｂが腕金２１Ｂに取り付けられる際の、腕金２１Ｂに対するハンド４１Ｂの位置決めを行うためのボルトである。固定ボルト４８１は、板部材４１５Ｂの螺子孔に螺合して、ハンド４１Ｂに取り付けられる。このとき、固定ボルト４８１の先端は、板部材４１５Ｂから下側（−Ｚ）に向かって突出する。
【００７３】
ハンド４１Ｂが腕金２１Ｂに取り付けられる際、固定ボルト４８１が腕金２１Ｂの位置決め孔（不図示）に挿入されて、腕金２１Ｂに対するハンド４１Ｂの位置決めが行われる。尚、腕金２１Ｂには、固定ボルト４８１が挿入される位置決め孔が所定位置に設けられていることとする。
【００７４】
[第３実施形態]
第３実施形態における腕金調整装置１００Ｃは、調整工具４Ｃを有する。腕金調整装置１００Ｃにおける調整工具４Ｃ以外の構成は、腕金調整装置１００の構成と同様である。
【００７５】
＝＝＝腕金調整装置＝＝＝
以下、図１５乃至図１７を参照して、本実施形態における腕金調整装置について説明する。図１５は、本実施形態における電柱に取り付けられた状態の腕金調整装置を示す図である。図１６は、本実施形態におけるハンドを示す図である。図１７は、本実施形態が適用される電柱と腕金とを示す図である。
【００７６】
腕金調整装置１００Ｃは、調整工具４Ｃを有する。調整工具４Ｃは、ハンド８を有する。ハンド８は、湾曲部材８１、連結部材８２を有する。
【００７７】
連結部材８２は、アーム４２における支持板４２１（図４）と連結される部材である。連結部材８２は、螺子孔８２Ａが設けられる。螺子孔８２Ａには、ボルト４５１（図３）が挿通される。
【００７８】
湾曲部材８１は、腕金２１Ｃのボルト２３Ｃに引っ掛けられる部材である。湾曲部材８１は、ボルト２３Ｃに引っ掛けられるように、所定の曲率で湾曲している。尚、ボルト２３Ｃ（図１７）は、電柱１Ｃに対して腕金２１Ｃを固定するためのベルト２２Ｃに設けられているボルトであり、所定方向（例えば＋Ｙ）に向かって突出している。ボルト２３Ｃは、ベルト２２Ｃが電柱１Ｃに締め付けられるように、ベルト２２Ｃの径を調整するのに用いられる。湾曲部材８１は、連結部材８２がのびている方向（Ｚ軸）と平行であり、且つ、連結部材８２の中央を通る回動軸８１Ａを中心に、Ｂ１方向又はＢ２方向に３６０度回動可能に、連結部材８２に取り付けられる。
【００７９】
腕金調整装置１００Ｃにおいては、ハンド８がボルト２３Ｃに引っ掛けられて、ベルト２２Ｃを下側（−Ｚ）に移動させることにより腕金２１Ｃの傾きが調整される。
【００８０】
前述したように、腕金調整装置１００は、電柱１に対する腕金２１の取付角度が所定角度となるように、腕金２１の傾きを調整する装置である。腕金調整装置１００は、アーム４２、ハンド４１、固定バンド３、固定具６、第１ナット部材４３Ａ、第２ナット部材４３Ｂを有する。アーム４２及びハンド４１は、アーム４２の長手方向に移動することで、腕金２１に対して腕金２１の傾きを調整するための力を付与する。固定バンド３及び固定具６は、電柱１に固定され、アーム４２がアーム４２の長手方向に移動できるようにアーム４２を支持する。第１ナット部材４３Ａ、第２ナット部材４３Ｂは、アーム４２をアーム４２の長手方向に移動させる。これらの構成により、腕金２１の傾きを調整するための力を腕金２１に付与して、腕金２１の傾きを調整することができる。
【００８１】
又、ハンド４１は、腕金２１に取り付けられる。アーム４２は、固定バンド３及び固定具６に支持される。アーム４２は、ハンド４１が腕金２１に取り付けられたまま腕金２１の傾きに合わせて回動するようにハンド４１を支持する。これらの構成により、腕金２１に対して腕金２１の傾きを調整するための力を確実に付与して、腕金２１の傾きを確実に調整することができる。
【００８２】
又、腕金２１Ｂには、位置決め孔が設けられている。ハンド４１Ｂには、ハンド４１Ｂが腕金２１Ｂに取り付けられるときにハンド４１Ｂが腕金２１Ｂに対して位置決めされるように位置決め孔に挿入される固定ボルト４８１が設けられている。これらの構成により、腕金２１Ｂに取り付けられるハンド４１Ｂの位置ずれを防止して、腕金２１Ｂの傾きを確実に調整することができる。
【００８３】
又、アーム４２の支持棒４２２の外周面には、螺子山４２３が設けられている。固定具６は、支持棒４２２が挿通される第１挿通孔６１Ａ及び第２挿通孔６２Ａを有する。第１ナット部材４３Ａ及び第２ナット部材４３Ｂは、第１ナット部材４３Ａ及び第２ナット部材４３Ｂの回転力に応じて支持棒４２２が移動するように支持棒４２２に螺合される一対のナット部材である。第１ナット部材４３Ａ、第２ナット部材４３Ｂは、第１挿通孔６１Ａ及び第２挿通孔６２Ａに挿通されている支持棒４２２における固定具６の両側に設けられる。これらの構成により、第１ナット部材４３Ａ、第２ナット部材４３Ｂの回転量を微調整することにより、腕金２１の傾きの調整量を微調整することができる。従って、腕金２１の傾きの調整精度を向上させることができる。
【００８４】
又、固定バンド３は、電柱１の外周面を取り囲んで電柱１に締め付けられるベルトである。固定具６は、第５板部材６５と、隙間６５Ａを有する。第５板部材６５は、電柱１と固定バンド３との間に挿入される。隙間６５Ａは、固定具６が固定バンド３に沿って移動可能に取り付けられるように、固定バンド３が挿入される。よって、電柱１に対する固定バンド３の位置、及び、固定バンド３に対する固定具６の位置を調整することにより、腕金２１の傾きを調整する作業を確実に行える位置において調整工具４を支持することが可能となる。従って、使い勝手のよい腕金調整装置１００を提供することができる。
【００８５】
又、ハンド４１の第３板部材４１４とアーム４２の支持板４２１とは、ボルト４５１により互いに連結されている。対向面４１６、４２６には突起４２５、４１５が設けられている。対向面４１６、４２６は、ボルト４５１の長手方向におけるハンド４１及びアーム４２の対向面である。突起４２５、４１５は、ハンド４１が回動したときに摩擦力を発生させるための突起である。これらの構成により、例えばハンド４１の自重等によりハンド４１が回動するのを防止して、腕金２１に対して腕金２１の傾きを調整するための力を確実に付与することができる。従って、腕金２１の傾きを確実に調整することが可能となる。
【００８６】
腕金調整相違１００は、第１ワッシャー４４Ａ、第２ワッシャー４４Ｂを更に有する。第１ワッシャー４４Ａ、第２ワッシャー４４Ｂは、第１挿通孔６１Ａ及び第２挿通孔６２Ａに挿通されている支持棒４２２における第１ナット部材４３Ａ、第２ナット部材４３Ｂ夫々と固定具６との間に設けられる一対のワッシャーである。これらの構成により、支持棒４２２が比較的強固に支持（固定）されることになる。従って、例えば、腕金２１の重さに応じて調整工具４がずれるのを防止して、腕金２１の傾きを確実に調整することが可能となる。
【００８７】
尚、第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８８】
第２実施形態においては、腕金２１Ｂに位置決め孔が設けられ、ハンド４１Ｂに固定ボルト４８１が設けられることについて説明したが、これに限定されるものではない。例えば、腕金２１Ｂに固定ボルト４８１と同様な構成の固定ボルトが設けられ、ハンド４１Ｂに位置決め孔が設けられることとしてもよい。
【００８９】
又、第１実施形態におけるいて、例えば、ハンド４１が腕金２１における電柱１から離れた位置に取り付けられるように、支持棒４２２が電柱１から離れる方向に向かって曲げられていることとしてもよい。
【００９０】
又、第３実施形態においては、ハンド８がボルト２３Ｃに引っ掛けられることについて説明したが、これに限定されるものではない。例えば、ハンド８が、腕金２１Ｃに引っ掛けられることとしてもよい。
【００９１】
又、第１実施形態においては、固定バンド３が電柱１における腕金２１の下側に設けられることについて説明したが、これに限定されるものではない。例えば、固定バンド３が電柱１における腕金２１の上側に設けられることとしてもよい。
【００９２】
又、第１実施形態においては、対向面４１６、４２６に突起４２５、４１５が設けられていることについて説明したが、これに限定されるものではない。例えば、対向面４１６、４２６の少なくとも一方に突起が設けられることとしてもよい。又、例えば、対向面４１６、４２６の一方に突起が設けられており、対向面４１６、４２６の他方に当該突起の先端が引っ掛かるような溝が設けられることとしてもよい。
【符号の説明】
【００９３】
１、１Ｃ                    電柱
３                          固定バンド
４、４Ｂ、４Ｃ、５          調整工具
６、７                      固定具
８、４１、４１Ｂ、５１      ハンド
２１、２１Ｂ、２１Ｃ        腕金
４３Ａ、５３Ａ              第１ナット部材
４３Ｂ、５３Ｂ              第２ナット部材
４４Ａ、５４Ａ              第１ワッシャー
４４Ｂ、５４Ｂ              第２ワッシャー
１００、１００Ｂ、１００Ｃ  腕金調整装置
【図１】
2014230425.tif 000003
【図２】
2014230425.tif 000004
【図３】
2014230425.tif 000005
【図４】
2014230425.tif 000006
【図５】
2014230425.tif 000007
【図６】
2014230425.tif 000008
【図７】
2014230425.tif 000009
【図８】
2014230425.tif 000010
【図９】
2014230425.tif 000011
【図１０】
2014230425.tif 000012
【図１１】
2014230425.tif 000013
【図１２】
2014230425.tif 000014
【図１３】
2014230425.tif 000015
【図１４】
2014230425.tif 000016
【図１５】
2014230425.tif 000017
【図１６】
2014230425.tif 000018
【図１７】
2014230425.tif 000019